【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
生体適合性の連接型支持構造であって、
管状構造であって、
中央ルーメンと、
中央軸と、
複数の別個の内側支柱と、
複数の別個の外側支柱と、
を含む、管状構造、
を含み、
前記複数の別個の内側支柱および前記複数の別個の外側支柱はそれぞれ、第１の端部、第２の端部、および両者間のネット長を含み、
前記複数の別個の内側支柱はそれぞれ、前記複数の別個の外側支柱の少なくとも３つの異なる別個の外側支柱との連接部を含み、
前記複数の別個の外側支柱はそれぞれ、前記複数の別個の内側支柱の少なくとも３つの異なる別個の内側支柱との連接部を含み、
前記複数の別個の内側支柱の別個の内側支柱は、前記複数の別個の内側支柱のその他の別個の内側支柱との連接部を含まず、
前記複数の別個の外側支柱の別個の外側支柱は、前記複数の別個の外側支柱のその他の別個の外側支柱との連接部を含まず、
前記複数の別個の内側支柱または前記複数の別個の外側支柱からの少なくとも１つの支柱は、第１の端部、第２の端部、および両者間のネット長を含み、
前記少なくとも１つの支柱の前記第１の端部は、前記支柱のネット長の約少なくとも２５％だけ最も近接する連接部から離隔して配置される、
生体適合性の連接型支持構造。
【請求項２】
前記複数の別個の外側支柱それぞれの第１の端部は、最も近接する連接部からそのネット長の約少なくとも２５％だけ離隔して配置される、請求項１に記載の生体適合性の連接型支持構造。
【請求項３】
前記複数の別個の外側支柱それぞれの前記第２の端部は、最も近接する連接部からそのネット長の約少なくとも２５％だけ離隔して配される、請求項２に記載の生体適合性の連接型支持構造。
【請求項４】
前記複数の別個の内側支柱それぞれの第１の端部は、最も近接する連接部からそのネット長の約少なくとも２５％だけ離隔して配される、請求項１〜３のいずれか一項に記載の生体適合性の連接型支持構造。
【請求項５】
前記複数の別個の内側支柱それぞれの第２の端部は、最も近接する連接部からそのネット長の約少なくとも２５％だけ離隔して配される、請求項１〜４のいずれか一項に記載の生体適合性の連接型支持構造。
【手続補正２】
【補正対象書類名】明細書
【補正対象項目名】００３３
【補正方法】変更
【補正の内容】
【００３３】
別の実施形態において、付属スプリントが提供される。付属スプリントは、連接可能な構造を備えたフレームを含む。連接可能な構造は、中央ルーメン、複数の別個の内側支柱、複数の別個の外側支柱を含む。複数の別個の内側支柱はそれぞれ、複数の別個の外側支柱の少なくとも３つの異なる別個の外側支柱との連接部を含む。複数の別個の外側支柱はそれぞれ、複数の別個の内側支柱の少なくとも３つの異なる別個の内側支柱との連接部を含む。複数の別個の内側支柱の別個の内側支柱は、複数の別個の内側支柱のその他の別個の内側支柱との連接部を含まない。複数の別個の外側支柱の別個の外側支柱は、複数の別個の外側支柱のその他の別個の外側支柱との連接部を含まない。連接可能な構造を備えたフレームは、円筒領域およびテーパー領域をさらに含み得る。連接可能な構造を備えたフレームは、複数の別個の曲線状支柱をさらに含み得る。複数の曲線状支柱はそれぞれ、複数の曲線状支柱中の各他の曲線状支柱との連接部を含む。複数の曲線状支柱はそれぞれ、複数の別個の内側支柱のうち少なくとも１つおよび複数の別個の外側支柱のうち少なくとも１つとの連接部を含む。
本願明細書は、例えば、以下の項目も提供する。
（項目１）
生体適合性の連接型支持構造であって、
管状構造であって、
中央ルーメンと、
中央軸と、
複数の別個の内側支柱と、
複数の別個の外側支柱と、
を含む、管状構造、
を含み、
前記複数の別個の内側支柱および前記複数の別個の外側支柱はそれぞれ、第１の端部、第２の端部、および両者間のネット長を含み、
前記複数の別個の内側支柱はそれぞれ、前記複数の別個の外側支柱の少なくとも３つの異なる別個の外側支柱との連接部を含み、
前記複数の別個の外側支柱はそれぞれ、前記複数の別個の内側支柱の少なくとも３つの異なる別個の内側支柱との連接部を含み、
前記複数の別個の内側支柱の別個の内側支柱は、前記複数の別個の内側支柱のその他の別個の内側支柱との連接部を含まず、
前記複数の別個の外側支柱の別個の外側支柱は、前記複数の別個の外側支柱のその他の別個の外側支柱との連接部を含まず、
前記複数の別個の内側支柱または前記複数の別個の外側支柱からの少なくとも１つの支柱は、第１の端部、第２の端部、および両者間のネット長を含み、
前記少なくとも１つの支柱の前記第１の端部は、前記支柱のネット長の約少なくとも２５％だけ最も近接する連接部から離隔して配置される、
生体適合性の連接型支持構造。
（項目２）
前記複数の別個の外側支柱それぞれの第１の端部は、最も近接する連接部からそのネット長の約少なくとも２５％だけ離隔して配置される、項目１に記載の生体適合性の連接型支持構造。
（項目３）
前記複数の別個の外側支柱それぞれの前記第２の端部は、最も近接する連接部からそのネット長の約少なくとも２５％だけ離隔して配される、項目２に記載の生体適合性の連接型支持構造。
（項目４）
前記複数の別個の内側支柱それぞれの第１の端部は、最も近接する連接部からそのネット長の約少なくとも２５％だけ離隔して配される、項目１〜３のいずれか一項に記載の生体適合性の連接型支持構造。
（項目５）
前記複数の別個の内側支柱それぞれの第２の端部は、最も近接する連接部からそのネット長の約少なくとも２５％だけ離隔して配される、項目１〜４のいずれか一項に記載の生体適合性の連接型支持構造。
（項目６）
生体適合性の連接型支持構造であって、
管状構造であって、
中央ルーメンと、
中央軸と、
複数の別個の内側支柱と、
複数の別個の外側支柱と、
少なくとも１つの弓形支柱と、
を含む管状構造、
を含み、
前記複数の別個の内側支柱、前記複数の別個の外側支柱および前記少なくとも１つの弓形支柱はそれぞれ、第１の端部、第２の端部、および両者間のネット長を含み、
前記複数の別個の内側支柱はそれぞれ、前記複数の別個の外側支柱の少なくとも３つの異なる別個の外側支柱との連接部を含み、
前記複数の別個の外側支柱はそれぞれ、前記複数の別個の内側支柱の少なくとも３つの異なる別個の内側支柱との連接部を含み、
前記複数の別個の内側支柱の別個の内側支柱は、前記複数の別個の内側支柱のその他の別個の内側支柱との連接部を含まず、
前記複数の別個の外側支柱の別個の外側支柱は、前記複数の別個の外側支柱のその他の別個の外側支柱との連接部を含まず、
前記少なくとも１つの弓形支柱は、前記複数の別個の内側支柱および前記複数の別個の外側支柱から選択された第１の支柱との第１の連接部と、同じ複数の別個の内側支柱または複数の別個の外側支柱から選択された第２の支柱との第２の連接部とを含む、
生体適合性の連接型支持構造。
（項目７）
前記第１の支柱および前記第２の支柱は、直接隣接する支柱である、項目６に記載の生体適合性の連接型支持構造。
（項目８）
前記最小の１つの弓形支柱は、内側弓形支柱であり、
前記第１の支柱および第２の支柱は、前記複数の別個の内側支柱から選択される、
項目６に記載の生体適合性の連接型支持構造。
（項目９）
前記最小の１つの弓形支柱は、複数の内側弓形支柱である、項目８に記載の生体適合性の連接型支持構造。
（項目１０）
前記最小の１つの弓形支柱は、外側弓形支柱であり、
前記第１の支柱および第２の支柱は、前記複数の別個の外側支柱から選択される、
項目６に記載の生体適合性の連接型支持構造。
（項目１１）
前記最小の１つの弓形支柱は、複数の外側弓形支柱である、項目１０に記載の生体適合性の連接型支持構造。
（項目１２）
前記複数の外側弓形支柱と、前記複数の別個の外側支柱との間に配置された第２の構造をさらに含む、項目１１に記載の生体適合性の連接型支持構造。
（項目１３）
前記第２の構造は、円周管状バルーンである、項目１２に記載の生体適合性の連接型支持構造。
（項目１４）
生体適合性の連接型構造であって、
管状構造であって、
中央ルーメンと、
中央軸と、
複数の別個の内側支柱と、
複数の別個の外側支柱と、
少なくとも２つのラジアル支柱と、
を含む、管状構造、
を含み、
前記複数の別個の内側支柱および前記複数の別個の外側支柱はそれぞれ、第１の端部、第２の端部および両者間のネット長を含み、
前記少なくとも２つのラジアル支柱はそれぞれ、外側端部、内側端部および両者間のネット長を含み、
各外側端部は、前記複数の別個の内側支柱および前記複数の別個の外側支柱から選択された少なくとも１つの支柱へ接続され、
前記少なくとも２つのラジアル支柱の前記内側端部は、共に接続され、
前記複数の別個の内側支柱はそれぞれ、前記複数の別個の外側支柱の少なくとも３つの異なる別個の外側支柱との連接部を含み、
前記複数の別個の外側支柱はそれぞれ、前記複数の別個の内側支柱の少なくとも３つの異なる別個の内側支柱との連接部を含み、
前記複数の別個の内側支柱の別個の内側支柱は、前記複数の別個の内側支柱のその他の別個の内側支柱との連接部を含まず、
前記複数の別個の外側支柱の別個の外側支柱は、前記複数の別個の外側支柱のその他の別個の外側支柱との連接部を含まない、
生体適合性の連接型支持構造。
（項目１５）
前記少なくとも２つのラジアル支柱の前記内側端部は、中央にアライメントされた接続アパーチャにおいて接続される、項目１４に記載の生体適合性の連接型支持構造。
（項目１６）
前記少なくとも２つのラジアル支柱の前記内側端部は、接続アパーチャにおいてループ構造を用いて接続される、項目１４に記載の生体適合性の連接型支持構造。
（項目１７）
前記少なくとも２つのラジアル支柱は、第１の複数のラジアル支柱および第２の複数のラジアル支柱を含み、
前記第１の複数のラジアル支柱の各外側端部は、前記複数の別個の内側支柱および前記複数の別個の外側支柱から選択された少なくとも１つの支柱の前記第１の端部へ接続され、
前記第２の複数のラジアル支柱の各外側端部は、前記複数の別個の内側支柱および前記複数の別個の外側支柱から選択された少なくとも１つの支柱の前記第２の端部へ接続される、
項目１４に記載の生体適合性の連接型支持構造。
（項目１８）
前記第１の複数のラジアル支柱の前記内側端部は共に接続され、前記第２の複数のラジアル支柱の前記内側端部は共に接続される、項目１７に記載の生体適合性の連接型支持構造。
（項目１９）
前記第１の複数のラジアル支柱の前記内側端部は、第１の展開構造へ取り付けられ、前記第２の複数のラジアル支柱の前記内側端部は、第２の展開構造へ取り付けられる、
項目１８に記載の生体適合性の連接型支持構造。
（項目２０）
前記第１の複数のラジアル支柱の前記内側端部は、展開構造の第１の領域へ取り付けられ、前記第２の複数のラジアル支柱の前記内側端部は、前記展開構造の第２の領域へ取り付けられる、項目１８に記載の生体適合性の連接型支持構造。
（項目２１）
前記展開構造はねじ回し機構を含む、項目２０に記載の生体適合性の連接型支持構造。
（項目２２）
前記管状構造へ恒久的に取り付けられた送達カテーテルをさらに含む、項目１４に記載の生体適合性の連接型支持構造。
（項目２３）
前記送達カテーテルは、前記管状構造へ電気的に接続された複数のワイヤを含む、項目２２に記載の生体適合性の連接型支持構造。
（項目２４）
生体適合性の連接型構造であって、
管状構造であって、
中央ルーメンと、
中央軸と、
複数の別個の内側支柱と、
複数の別個の外側支柱と、
を含む、管状構造、
を含み、
前記複数の別個の内側支柱および前記複数の別個の外側支柱はそれぞれ、第１の端部、第２の端部および両者間のネット長を含み、
前記複数の別個の内側支柱はそれぞれ、前記複数の別個の外側支柱の少なくとも４つの異なる別個の外側支柱との連接部を含み、
前記複数の別個の外側支柱はそれぞれ、前記複数の別個の内側支柱の少なくとも４つの異なる別個の内側支柱との連接部を含み、
前記複数の別個の内側支柱の別個の内側支柱は、前記複数の別個の内側支柱のその他の別個の内側支柱との連接部を含まず、
前記複数の別個の外側支柱の別個の外側支柱は、前記複数の別個の外側支柱のその他の別個の外側支柱との連接部を含まず、
前記複数の別個の内側支柱または前記複数の別個の外側支柱からの少なくとも１つの支柱は、第１の端部、第２の端部および両者間のネット長を含み、
前記複数の別個の内側支柱、前記複数の別個の外側支柱および前記連接部の間から、本質的に自己拡張力が提供される、
生体適合性の連接型構造。
（項目２５）
前記管状構造は、本質的に安定した非拡張の座屈状態を含む、項目２４に記載の生体適合性の連接型支持構造。
（項目２６）
前記複数の別個の内側支柱および前記複数の別個の外側支柱は、前記管状構造の第１の外周に沿ってアライメントされた第１の１組のセルと、前記第１の１組のセルに直接隣接しかつ前記管状構造の第２の外周に沿ってアライメントされた第２の１組のセルとを形成するように構成される、項目２４に記載の生体適合性の連接型支持構造。
（項目２７）
前記複数の別個の内側支柱はそれぞれ、前記複数の別個の外側支柱の少なくとも５つの異なる別個の外側支柱との連接部を含み、
前記複数の別個の外側支柱はそれぞれ、前記複数の別個の内側支柱の少なくとも５つの異なる別個の内側支柱との連接部を含み、
前記複数の別個の内側支柱および前記複数の別個の外側支柱は、前記第２の１組のセルに直接隣接しかつ前記管状構造の第３の外周に沿ってアライメントされた第３の１組のセルを形成するようにさらに構成される、
項目２６に記載の生体適合性の連接型支持構造。
（項目２８）
付属スプリントであって、
連接可能な構造を備えたフレームであって、
中央ルーメンと、
複数の別個の内側支柱と、
複数の別個の外側支柱と、
を含む、フレーム、
を含み、
前記複数の別個の内側支柱はそれぞれ、前記複数の別個の外側支柱の少なくとも３つの異なる別個の外側支柱との連接部を含み、
前記複数の別個の外側支柱はそれぞれ、前記複数の別個の内側支柱の少なくとも３つの異なる別個の内側支柱との連接部を含み、
前記複数の別個の内側支柱の別個の内側支柱は、前記複数の別個の内側支柱のその他の別個の内側支柱との連接部を含まず、
前記複数の別個の外側支柱の別個の外側支柱は、前記複数の別個の外側支柱のその他の別個の外側支柱との連接部を含まない、
付属スプリント。
（項目２９）
前記連接可能な構造を備えたフレームは、円筒領域およびテーパー領域をさらに含む、項目２８に記載の付属スプリント。
（項目３０）
前記連接可能な構造を備えたフレームは、複数の別個の曲線状支柱をさらに含み、前記複数の曲線状支柱はそれぞれ、前記複数の曲線状支柱中の各他の曲線状支柱との連接部を含み、前記複数の曲線状支柱はそれぞれ、前記複数の別個の内側支柱のうち少なくとも１つおよび前記複数の別個の外側支柱のうち少なくとも１つとの連接部を含む、項目２８に記載の付属スプリント。